(57)【要約】【課題】配電盤・制御盤の箱体内に収納されるユニットに対する組立作業を効率良く行える配電盤・制御盤の組立収納装置を得る。【解決手段】昇降スライダー４が設けられた後面側フレーム２、昇降スライダー４に昇降可能に取り付けられた昇降枠８、昇降枠８に設けられ、垂直方向に配された軸を含む軸部１１、その軸の下部に、軸を中心として回転可能に取り付けられた回転枠１２を備えた組立収納装置とし、前後面に器具配線部５１、５２を有する板状のユニット５０に対して組立作業を行う場合に、ユニット５０の上部を、回転枠１２に嵌合させ、昇降、回転可能に保持する。【選択図】        図１
2004168541.tif 000002
【特許請求の範囲】
【請求項１】
昇降スライダーが設けられたフレーム、上記昇降スライダーに固定された昇降可能な昇降枠、上記昇降枠に設けられ、垂直方向に配された軸を含む軸部、上記軸に、上記軸を中心として回転可能に取り付けられた回転枠を備え、配電盤・制御盤を構成し、前後面に器具配線部を有する板状のユニットの上部を、上記回転枠に嵌合させ、上記ユニットを昇降、回転可能に保持することを特徴とする配電盤・制御盤の組立収納装置。
【請求項２】
上記回転枠は、上記ユニット上面の長手方向に沿って伸びるレールを備え、上記ユニットは、その上部に上記レールに嵌合するローラを備え、上記レール上に上記ローラが滑動可能に保持されることを特徴とする請求項１記載の配電盤・制御盤の組立収納装置。
【請求項３】
上記回転枠に装着され、上記レールの一端に繋げられる延長レールを備え、上記延長レールを上記配電盤・制御盤の箱体内に挿入し、上記配電盤・制御盤の箱体内と上記回転枠との間を、上記延長レールを介して、上記ユニットをスライド移動可能に保持することを特徴とする請求項２記載の配電盤・制御盤の組立収納装置。
【請求項４】
上記フレームの下部に、ロック棒を上下させるロック機構を設け、上記回転枠に保持された上記ユニットの下部に上記ロック棒を差し込み、上記ユニットが所定の回転角度となるように固定することを特徴とする請求項１記載の配電盤・制御盤の組立収納装置。
【請求項５】
上記軸部に固定され、下向きに付勢されたロック球が配置されたロックガイド板を設け、上記回転枠の上面に設けたロック穴に、上記ロック球を嵌合させることで上記回転枠を所定の回転角度となるように固定するロック機構を設けることを特徴とする請求項１記載の配電盤・制御盤の組立収納装置。
【請求項６】
上記延長レールは、上記回転枠に設けられた上記レールの両端のうち、任意の一端に装着可能に構成されることを特徴とする請求項３記載の配電盤・制御盤の組立収納装置。
【請求項７】
配電盤・制御盤の組立作業の際に、上記配電盤・制御盤の箱体の外部において、上記配電盤・制御盤を構成し、前後面に器具配線部を有する板状のユニットを、昇降・回転可能に保持する組立収納装置を用い、所定の方向から上記ユニットの一面の器具配線部に組立処理を行う工程、上記ユニットを回転させて、同一の方向から上記ユニットの他面の器具配線部に組立処理を行う工程を含むことを特徴とする配電盤・制御盤の組立収納方法。
【請求項８】
上記配電盤・制御盤の組立収納装置に延長レールを装着し、上記延長レールを上記配電盤・制御盤の箱体内に挿入し、上記箱体内に配置され、組立処理が必要な上記ユニットの上部を、上記延長レールに嵌合させ、上記延長レールを介して、上記ユニットを上記箱体内から上記組立収納装置へスライド移動させて取り出す工程、組立処理終了後の上記ユニットを、上記組立収納装置から上記延長レールを介してスライド移動させ、上記箱体内に収納する工程を含むことを特徴とする請求項７記載の配電盤・制御盤の組立収納方法。
【発明の詳細な説明】
【０００１】
【発明の属する技術分野】
この発明は、配電盤または制御盤を構成し、前後面が部品取付面となっている板状のユニットを組み立てる際、また、配電盤・制御盤の箱体内に収納する際に、ユニットの移動に用いる配電盤・制御盤の組立収納装置および配電盤・制御盤の組立収納方法に関するものである。
【０００２】
【従来の技術】
従来の配電盤の盤内機器搬入・搬出装置として、次のような技術が示されている。二つの配電盤の前面が一定間隔を隔てて対向するように配置され、その対向する二つの配電盤の天井上に、配線ダクトを兼用させるレールを掛け渡して固定し、そのレールに盤内機器を吊って移動させるチェーンブロックを取り付けて構成し、盤内機器の移動を可能としている（特許文献１参照）。
【０００３】
【特許文献１】
特開昭６３−１１４５１１号公報
【０００４】
【発明が解決しようとする課題】
従来の配電盤または制御盤を構成するユニットに対し、その前後面にそれぞれ配線を伴う機器を取り付けるなどの組立作業の際には、作業者が、ユニットの前面、後面に移動しながら組み立てをしなければならなかった。また配電盤または制御盤を構成する箱体の中でユニット作業を行う場合は、限られた狭いスペースでの作業となるため、作業効率の低下が問題となっていた。
【０００５】
この発明は、上記のような問題点を解消するためになされたもので、配電盤・制御盤を構成するユニットへの組立作業を効率良く行うため、配電盤・制御盤の箱体からユニットを引き出して保持し、またそのユニットの前後面に対して同一の方向から作業が行えるように、ユニットを回転させることが可能な配電盤・制御盤の組立収納装置および配電盤・制御盤の組立収納方法を得ることを目的とする。
【０００６】
【課題を解決するための手段】
この発明に係わる配電盤・制御盤の組立収納装置は、昇降スライダーが設けられたフレーム、上記昇降スライダーに固定された昇降可能な昇降枠、上記昇降枠に設けられ、垂直方向に配された軸を含む軸部、上記軸の下部に、上記軸を中心として回転可能に取り付けられた回転枠を備え、配電盤・制御盤を構成し、前後面に器具配線部を有する板状のユニットの上部を、上記回転枠に嵌合させ、上記ユニットを昇降、回転可能に保持するものである。
【０００７】
また、この発明に係わる配電盤・制御盤の組立収納方法は、配電盤・制御盤の組立作業の際に、上記配電盤・制御盤の箱体の外部において、上記配電盤・制御盤を構成し、前後面に器具配線部を有する板状のユニットを、昇降・回転可能に保持する組立収納装置を用い、所定の方向から上記ユニットの一面の器具配線部に組立処理を行う工程、上記ユニットを回転させて、同一の方向から上記ユニットの他面の器具配線部に組立処理を行う工程を含むものである。
【０００８】
【発明の実施の形態】
実施の形態１．
以下、この発明の実施の形態１を図１ないし図１４を用いて説明する。
図１は、配電盤・制御盤の箱体から取り出されたユニットが、配電盤・制御盤の組立収納装置（以下、組立収納装置とする。）に保持された状態を示す、組立収納装置の側面図である。図２は、図１をＡ方向から観察した組立収納装置の正面図、図３は、図１の組立収納装置が保持するユニットを水平面内で９０度回転させ、ユニットの器具配線部を側面側に向けた場合の組立収納装置の側面図である。
【０００９】
図において、符号１はユニットを保持する組立収納装置の全体を指し、２は組立収納装置１を構成する後面側フレーム（フレームに相当する。）、３は下部フレーム、４は後面側フレーム２の正面側に配置され、後面側フレーム２に沿って昇降させることが可能な昇降スライダー、５は後面側フレーム２に設けられた昇降スライダー４を可動させるためのハンドル、６、７はそれぞれ組立収納装置１の移動の際に用いる車輪、８は昇降スライダー４に取り付けられた昇降枠であり、この昇降枠８は、昇降スライダー４に固定されるスライダー側フレーム９ａと、そのスライダー側フレーム９ａに固定され、組立収納装置１の正面側に突き出した形状のユニット支持フレーム９ｂによって構成される。ユニット支持フレーム９ｂの突き出した端部には軸受け１０が設けられ、その軸受け１０に嵌合する垂直向きの軸を含む軸部１１が配置されている。軸部１１の下部には回転枠１２が吊り下げられている。
【００１０】
回転枠１２には、配電盤・制御盤を構成する板状のユニット５０の上部が嵌合し、ユニット５０を保持した状態で、軸を中心として回転可能に構成されている。ユニット５０は、その前後面に器具配線部、つまり前面器具配線部５１と後面器具配線部５２を有している。図２に示すように、軸部１１が回転枠１２の上面中央部を吊り下げる状態となり、ユニット５０をこの回転枠１２に保持して組立作業を行う際には、ロック棒１３を回転枠１２の両端に嵌め込んでユニット５０を所定の位置に固定し、その脱落を防止する。
【００１１】
図３に示すように、軸部１１が回転枠１２をその上面中央部で吊り下げる構造のため、ユニット５０を保持した状態で軸部１１を中心として回転枠１２を水平面内で回転させた場合、ユニット５０を安定に回転させることができる。また、昇降スライダー４による昇降枠８の昇降時においても、およそ軸部１１の下部に相当する位置にユニット５０の重心を配置できることから、その動作を安定して行うことが可能となる。
【００１２】
図４に、図１のア部に相当する、組立収納装置１の軸部１１を中心とする詳細側面図を示す。図４に示すように、ユニット支持フレーム９ｂの突き出した先端部分は軸受け１０となっており、それに嵌合する軸部１１が配置されている。軸受け１０を貫く、垂直方向に配された軸１４は、その先端が回転枠１２の上面下側の中央から上向きに軸受け１０に差し込まれ、先端部が軸受け１０の上部に突き出した状態でナット１５、ロックピン１６等によって固定されている。軸頭部１４ａは回転枠１２の上面中央部内側に位置している。１７はスペーサであり、１８はスラストベアリング、１９、２０はボールベアリングである。上記のような構成とすることで、軸１４を中心とした回転枠１２の回転を可能としている。
【００１３】
回転枠１２は、ユニット５０の上面および前後面の上部を覆い、ユニット５０の前後面の上部と向かい合う面には、それぞれ、ユニット５０の上面長手方向に沿って伸び、水平な滑動面を持つレール２１、２２が設けられている。レール２１、２２には、ユニット５０上部の前後面から外側に突き出して配置されたローラ２５、２６が嵌合するように構成されている。
【００１４】
ユニット５０に設けられるローラ２５は、図５に示すように、ユニット５０の前後面の両端側に、その前後面を貫くように配置される軸２３を中心として回転可能に取り付けられ、（他面側に配置されるローラ２６についても同様である。）レール２１（およびレール２２）を嵌合させるための溝部を有している。
また、図４に示したように、軸２３の一端にはローラ２５の脱落を防止するためのナット２４が配置され、軸２３の他端は軸頭部２３ａにより構成される。なお、ローラ２５、２６と他の部材との間にはスペーサ２７が配置される。回転枠１２にユニット５０を保持する場合には、ユニット５０の上部、つまりローラ２５、２６を、回転枠１２のレール２１、２２に嵌合させた状態で保持する。
【００１５】
なお、図６には昇降枠８の上面図を、図７には図６のＢ−Ｂ線に沿う断面図をそれぞれ示す。また、図８（ａ）には、軸受け１０の上面図を、図８（ｂ）にはその側面図を示し、図９には軸１４の側面図を示す。符号１４ｂは軸１４の先端部のロックピン挿入穴を示している。
【００１６】
なお、図１ないし図３では、ユニット５０を組立収納装置１に保持し、所定の位置で回転枠１２の回転を止めて固定させた状態、つまり、ユニット５０に対して器具取り付けや配線作業を実施することが可能な状態を示している。また、同図では、ユニット５０の高さ方向の寸法に合わせて昇降スライダー４がフレーム１の上部に位置する状態を示しているが、さらに高さ方向の寸法の小さなユニットが組立対象となる場合には、後面側フレーム２に沿って昇降スライダー４をさらに低い位置にスライド移動させて用いる。なお、図１に示す昇降スライダー４の位置から、昇降スライダー４がフレーム１から脱落しない範囲で、さらに昇降スライダー４を高い位置に移動させ、より高くユニット５０を保持することも可能である。
【００１７】
上述したような組立収納装置を用いて、ユニット５０を配電盤・制御盤の箱体の外部で保持し、所定の方向から作業者がユニット５０の前面器具配線部５１に対して組立作業を行い、その後、回転枠１２を水平面内で１８０度回転させて後面器具配線部５２に対して同一方向（所定の方向）から続けて組立作業を実施することができる。そのため、ユニット５０の両面に対しての組立処理が必要な場合においても、作業者が裏面側に回り込むなどの移動が不要で、効率良く組立作業を続けることが可能である。
【００１８】
次に、図１０を用いて、組立収納装置１に保持されるユニット５０を配電盤・制御盤の箱体へ収納する場合、または箱体からユニット５０を取り出す場合の作業（総称して収納作業とする。）について説明する。その場合、回転枠１２のレール２１、２２の一端に延長レールを繋げ、その延長レールを箱体内に挿入し、箱体と回転枠１２との間を、延長レールを介して、ユニット５０をスライド移動可能に保持して収納作業を行うようにする。
【００１９】
図１０において、符号２８、２９は回転枠１２の中心部側面、端部側面にそれぞれ突出して設けられた固定ピン、３０は回転枠１２の両側面の中心部から一端にかけて、それぞれの側面に沿って配置され、固定ピン２８、２９によって保持されるレールガイド、３０ａ、３０ｂはレールガイド３０に設けられ、固定ピン２８、２９を嵌合させるための嵌合穴、３１はレールガイド３０に固定され、回転枠１２から突出して配置される延長レールであり、延長レール３１はレールガイド３０を介して回転枠１２に装着される状態となる。また、３１ａは延長レール滑動面、２１ａはレール滑動面を示し、延長レール３１を回転枠１２に装着した際には、レール滑動面２１ａと延長レール滑動面３１ａは連続した状態となる。
【００２０】
なお、レールガイド３０を回転枠１２に装着する場合は、図１０の二点鎖線で示すレールガイド３０のように、所定の角度を持たせて嵌合穴３０ａを回転枠１２中央に位置する固定ピン２８に差し込み、次にレールガイド３０を固定ピン２８を中心として水平な位置まで回転させて、嵌合穴３０ｂと回転枠１２の端部側に位置する固定ピン２９とを嵌合させるという要領で行う。
【００２１】
図１１に、図１０の上面図を示す。２２ａはレール滑動面を示している。この図に示すように、回転枠１２と延長レール３１のレール滑動面はほぼ連続して繋がっている。図１０で示したレールガイド３０の装着時に、レールガイド３０の回転に伴う延長レール３１の移動において、延長レール３１と回転枠１２との衝突を回避するために、嵌合穴３０ｂはすそが拡大した穴となっており、嵌合初期ではレール滑動面２１ａと延長レール滑動面３１ａ間が広いが、嵌合終了時にはレール滑動面２１ａと延長レール滑動面３１ａ間は狭まり、ほぼ連続した繋がった状態となる。また、図１２に図１０のＣ―Ｃ線に沿う断面図を示す。
【００２２】
図１０ないし図１２に示したような延長レール３１を装着した組立収納装置１を用いたユニット５０の収納作業について、図１３を用いて説明する。
ユニット５０の取り出しおよび収納の際には、配電盤・制御盤の箱体５５の扉を開けるなどして開放状態とし、組立収納装置１を横付けし、昇降スライダー４によって高さを調節した延長レール３１を箱体５５内に挿入して用いる。この時、延長レール３１の方向と箱体５５内のユニット配置方向とを揃えておくことは言うまでもない。
【００２３】
箱体５５内のユニット５０を外部（組立収納装置１側）に取り出す場合は、箱体５５内に延長レール３１を挿入した段階で、延長レール３１上にユニット５０のローラ２５、２６が嵌合した状態となり、回転枠１２側にユニット５０を引き出すことで、ユニット５０をスライド移動させることができる。回転枠１２にユニット５０を移動させた後、ロック棒１３によりユニット５０の位置を固定し、組立収納装置１にユニット５０を保持させることができる。
【００２４】
一方、組立収納装置１に保持したユニット５０を、箱体５５内に収納しようとする場合は、回転枠１２のロック棒１３を解除し、延長レール３１に沿って箱体５５の内部にまでユニット５０をスライド移動させ、その状態でボルト類によってユニット５０を箱体５５に固定し、延長レール３１は箱体５５から抜き去り、箱体５５の扉を閉じるなどして収納する。
【００２５】
なお、図１４（ｂ）に、図１３のＤ−Ｄ線に沿う断面図を示す。図１４（ａ）は、ユニット５０を収納していない状態の箱体５５を示すＤ−Ｄ線断面図であり、箱体５５には、ユニット５０をガイド、固定するための固定金具３２、３３が配置されている。図１４（ｃ）は図１４（ｂ）の丸枠で示す部分の拡大図である。
【００２６】
このように構成された組立収納装置１を用いることによって、ユニットの収納作業と組立作業とに兼用して、組立収納装置１を用いることができ、同一の装置で連続して組立収納作業を行うことが可能となり、無駄なく効率的に作業を進めることが可能となる。
【００２７】
実施の形態２．
次に、この発明の実施の形態２である、配電盤制御盤の組立収納装置の下部フレーム３に配置するユニット５０のロック機構について、図１５ないし図１９を用いて説明する。このロック機構は、ロック棒を上下させることでユニット５０を所定の回転角度となるように保持するものである。図１５は下部フレーム３を側面から観察した側面図であり、ロック棒４２によってユニット５０が所定の位置（回転角度）に固定された状態を示している。
【００２８】
図において符号３ｃ、３ｄは、それぞれ下部フレーム３の上面および底面に設けられ、ユニット５０をロックするためのロック棒を通すためのフレーム穴部、３ｅは下部フレーム３の側面に設けられたロックピン３８を嵌合させるためのロック位置穴部、３ｆは下部フレーム３の側面に設けられたロックピン３８を嵌合させるためのロック解除位置穴部であり、後述するロック機構の構造上の理由により、ロック位置穴部３ｅはロック解除位置穴部３ｆよりも低い位置に配置されている。
【００２９】
また、３４は両側の下部フレーム３の側面を貫通するように配置された軸であり、３５は軸３４に固着され、下部フレーム３の内側に配置されたレバー、３６は軸３４に固着され、下部フレーム３の外側に配置された操作レバーである。つまり、図１５に示すように、軸３４を介してレバー３５と操作レバー３６は一体となるように固着されており、これらは軸３４を中心として回動可能に下部フレーム３に保持されている。
【００３０】
３７は操作レバー３６の軸３４とは逆側の端部に配置された金具であり、この金具３７にロックピン３８が取り付けられている。４１はロック棒４２に固着されたピンであり、このピン４１がレバー３５に設けられたレバー穴部３５ａに嵌合している。図１５に示すように、操作レバー３６のロックピン３８をロック位置穴部３ｅに差し込み、ロック棒４２を押し上げた状態とすることで、その先端部をユニット５０の底面に設けられたユニット穴部５０ａに嵌合させ、その位置でユニット５０を固定することが可能となる。また操作レバー３６のロックピン３８をロック位置穴部３ｅから、ロック解除位置穴部３ｆに差しかえるように操作することでロック棒４２をユニット５０から抜き去るように押し下げ、ロック状態を解除でき、回転枠１２を回転させることでユニット５０を動かすことが可能となる。
【００３１】
図１６に図１５のＥ−Ｅ線に沿う断面図を示し、（ａ）の丸枠の拡大図を（ｂ）（ｃ）に示す。図１６において、３４ａは軸固定ピンであり、平行に配置された２本の下部フレーム３の両方を貫くように配置された軸３４の操作レバー３６が配置された端部とは異なる端部に、軸３４が下部フレーム３から脱落しないように取り付けられている。
３９はロックピン３８が取り付けられた金具３７の内部にピン４０を動かすために配置されたコイルバネであり、ピン４０をロック位置穴部３ｅまたはロック解除位置穴部３ｆに嵌合させた状態に付勢する。
【００３２】
この図１６に示すように、ロック棒４２は２本の下部フレーム３の両方にそれぞれ設けられ、二つのロック棒４２は軸３４を介して連動するように構成され、二ヶ所でユニット５０をロックすることで、安定した状態でユニット５０に対する組立作業を行うことが可能となる。
また、図１７は図１６のＦ−Ｆ線に沿う断面図を示している。
なお、このロック機構によりユニット５０を固定する場合は、昇降スライダー４の操作によって、ユニット５０の高さを調節し、ロック棒４２を押し上げることで、その先端部をユニット穴部５０ａに嵌合可能な位置まで、下部フレーム３に近づける必要がある。
【００３３】
図１８は、ロック機構のロックを解除した状態、すなわち、ロック棒４２が下部フレーム３から突き出さないように、押し下げられている状態を示すものであり、先述の図１５のＥ−Ｅ線に沿う断面に相当する断面図であり、（ａ）の丸枠の拡大図を（ｂ）（ｃ）に示す。。
また、図１９は、同じくロックを解除した状態の、図１８のＧ−Ｇ線に沿う断面図である。この図に示すように、ロックピン３８を操作してピン４０をロック位置穴部３ｅから引き抜き、操作レバー３６を軸３４を中心として上向きに回動させることで、同時にレバー３５を下向きに回動させ、レバー３５の動きにともなってロック棒４２を下向きに押し下げ、ユニット５０の固定を解除し、ピン４０をロック解除位置穴部３ｆに差し込んだ状態とすることで、そのロック解除の状態を保つことができる。
【００３４】
このように、ロック棒４２を上下させることでユニット５０の回転角度を固定することが可能なロック機構を下部フレーム３に設けることで、安定したユニット組立作業を行うことが可能となる。
上述の例では、二つのロック棒４２による二ヶ所でのロックの例を示したが、取り扱うユニット５０の大きさや重量に応じて、１箇所だけのロックとすること、またより多数箇所でのロックとするように構成することも可能であることは言うまでもない。
【００３５】
実施の形態３．
先述の実施の形態２では、回転枠１２に保持されたユニット５０を所定の回転角度となるように固定するロック機構について示したが、この実施の形態３では、配電盤・制御盤の組立収納装置の回転枠１２と軸部１１との間に配置する、ユニット５０を所定の回転角度で自動的にロック位置出しする別のロック機構について、図２０、図２１を用いて説明する。この別のロック機構は、軸部１１に固定され、下向きに付勢されたロック球が配置されたロックガイド板を設け、回転枠１２の上面に設けたロック穴に、そのロック球を嵌合させることで回転枠１２を所定の回転角度となるように固定するものである。
【００３６】
図２０は回転枠１２を上方向から観察した上面図、図２１は図２０のＨ−Ｈ線に沿う断面図である。これらの図に示すように、昇降枠８に固着させた軸部１１にロックガイド板４３を固着させ、ロックガイド板４３にユニット５０の組立収納作業に必要な角度に自動固定させるためのガイド管４４を固着させる。さらにガイド管４４内に内部ロックボルト４５、コイルバネ４６、ロック球４７を配し、ロック球４７を回転枠１２側に付勢させる。回転枠１２は軸１４に対して回転可能であり、所定の回転角度で回転枠１２がロックされるように、ロックガイド板４３に対向する上面に設けたロック穴１２ａにロック球４７を嵌合させることで自動的にユニット５０の回転をロックすることができる。
【００３７】
図２１に示すように、この例では、ロック穴１２ａは軸１４に対して対称に、２ヶ所に設け、その二つのロック穴１２ａにそれぞれロック球４７を嵌合させる例を示した。なお、ユニット５０が軽量で小型の場合や、大型で重量が大きなものの場合に応じて、ロック箇所を増減させて対応することが可能であることは言うまでもない。
このような別のロック機構を用いることによって、回転枠１２の回転中に、バネ力によって、設定した回転角度に自動的にロック位置出しできるため、作業効率を向上させることが可能となる。
【００３８】
実施の形態４．
次に、この発明の実施の形態４について図２２、２３を参照して説明する。先述の実施の形態１では、ユニット５０を配電盤または制御盤の箱体５５から取り出す場合または箱体５５に収納する場合に、組立収納装置１の回転枠１２の長手方向に沿うレール２１、２２の一端に、延長レール３１を繋げて用いる例を示したが、この実施の形態４では、回転枠１２に設けられたレール２１、２２の両端のうち、任意の一端に延長レール３１を装着してレール滑動面を連続させる場合について説明する。
【００３９】
図２２は、延長レール３１（または後述の延長レール６１）を装着した回転枠１２を側面から観察した側面図であり、図２３は図２２に示す回転枠１２を上方から観察した上面図である。図において、符号６０はレールガイド、６０ｂはレールガイド６０に設けた嵌合穴、６１は延長レールである。これらは前述のレールガイド３０、嵌合穴３０ｂ、延長レール３１と、左右対称に構成されている。また、回転枠１２の端部に配置された固定ピン２９と、左右対称となるように、回転枠１２の他端に固定ピン４８が配置、固定される。
【００４０】
このように、レールガイド６０を回転枠１２の中心部に位置する固定ピン２８と、回転枠１２の端部に位置する固定ピン４８により保持できるように構成し、回転枠１２に延長レール６１を装着できるようにしたため、ユニット５０の収納作業時に、箱体５５の前後配置に応じて、回転枠１２に設けられたレール２１，２２の両端のうち、いずれの端部に延長レール６１（または延長レール３１）を繋げるかを判断して対応することができる。従って、箱体５５の前後配置に関係なく収納作業を速やかに行うことが可能となる。
【００４１】
【発明の効果】
以上のように、この発明の配電盤・制御盤の組立収納装置によれば、昇降スライダーが設けられたフレーム、上記昇降スライダーに固定された昇降可能な昇降枠、上記昇降枠に設けられ、垂直方向に配された軸を含む軸部、上記軸に、上記軸を中心として回転可能に取り付けられた回転枠を備え、配電盤・制御盤を構成し、前後面に器具配線部を有する板状のユニットの上部を、上記回転枠に嵌合させ、上記ユニットを昇降、回転可能に保持するものであるため、ユニットの回転により、ユニットの前後面への組立作業が、作業者の移動を伴うことなく同位置で行え、配電盤・制御盤の組立作業を効率良く行うことが可能である。
【００４２】
また、この発明による配電盤・制御盤の組立収納方法によれば、配電盤・制御盤の組立作業の際に、上記配電盤・制御盤の箱体の外部において、上記配電盤・制御盤を構成し、前後面に器具配線部を有する板状のユニットを、昇降・回転可能に保持する組立収納装置を用い、所定の方向から上記ユニットの一面の器具配線部に組立処理を行う工程、上記ユニットを回転させて、同一の方向から上記ユニットの他面の器具配線部に組立処理を行う工程を含むものであるため、ユニットの前後面への組立作業を効率良く行うことが可能である。
【図面の簡単な説明】
【図１】この発明の実施の形態１による配電盤・制御盤の組立収納装置を示す側面図である。
【図２】この発明の実施の形態１による組立収納装置を示す正面図である。
【図３】この発明の実施の形態１による組立収納装置を示す側面図である。
【図４】図１のア部に相当する詳細側面図である。
【図５】この発明の実施の形態１によるユニットの上部を示す側面図である。
【図６】この発明の実施の形態１による組立収納装置の昇降枠を示す上面図である。
【図７】図６のＢ−Ｂ線に沿う断面図である。
【図８】この発明の実施の形態１による組立収納装置の軸受けを示す上面図および側面図である。
【図９】この発明の実施の形態１による組立収納装置の軸を示す側面図である。
【図１０】この発明の実施の形態１による組立収納装置の回転枠に延長レールを装着した側面図である。
【図１１】この発明の実施の形態１による組立収納装置の回転枠に延長レールを装着した上面図である。
【図１２】図１０のＣ−Ｃ線に沿う断面図である。
【図１３】この発明の実施の形態１による組立収納装置を用いたユニット収納時の状態を示す側面図である。
【図１４】図１３のＤ−Ｄ線に沿う断面図である。
【図１５】この発明の実施の形態２の組立収納装置のロック機構によるロック状態を示す側面図である。
【図１６】図１５のＥ−Ｅ線に沿う断面図である。
【図１７】図１６のＦ−Ｆ線に沿う断面図である。
【図１８】この発明の実施の形態２の組立収納装置のロック機構によるロック解除状態を示す、図１５のＥ−Ｅ線に沿う断面に相当する断面図である。
【図１９】図１８のＧ−Ｇ線に沿う断面図である。
【図２０】この発明の実施の形態３による組立収納装置の別のロック機構を示す上面図である。
【図２１】図２０のＨ−Ｈ線に沿う断面図である。
【図２２】この発明の実施の形態４による組立収納装置の回転枠に延長レールを装着した側面図である。
【図２３】この発明の実施の形態４による組立収納装置野回転枠に延長レールを装着した上面図である。
【符号の説明】
１  組立収納装置                    ２  後面側フレーム
３  下部フレーム                    ３ｃ、３ｄ  フレーム穴部
３ｅ  ロック位置穴部                ３ｆ  ロック解除位置穴部
４  昇降スライダー                  ５  ハンドル
６、７  車輪                        ８  昇降枠
９ａ  スライダー側フレーム          ９ｂ  ユニット支持フレーム
１０  軸受け                        １１  軸部
１２  回転枠                        １２ａ  ロック穴
１３  ロック棒                      １４、２３、３４  軸
１４ａ、２３ａ  軸頭部              １４ｂ  ロックピン挿入穴
１５、２４  ナット                  １６  ロックピン
１７、２７  スペーサ                １８  スラストベアリング
１９、２０  ボールベアリング        ２１、２２  レール
２１ａ、２２ａ  レール滑動面        ２５、２６  ローラ
２８、２９、４８  固定ピン          ３０、６０  レールガイド
３０ａ、３０ｂ、６０ｂ  嵌合穴      ３１、６１  延長レール
３１ａ  延長レール滑動面            ３２、３３  固定金具
３４ａ  軸固定ピン                  ３５  レバー
３５ａ  レバー穴部                  ３６  操作レバー
３７  金具                          ３８  ロックピン
３９、４６  コイルバネ              ４０、４１  ピン
４２  ロック棒                      ４３  ロックガイド板
４４  ガイド管                      ４５  内部ロックボルト
４７  ロック球                      ５０  ユニット
５０ａ  ユニット穴部                ５１  前面器具配線部
５２  後面器具配線部                ５５  箱体。
【図１】
2004168541.tif 000003
【図２】
2004168541.tif 000004
【図３】
2004168541.tif 000005
【図４】
2004168541.tif 000006
【図５】
2004168541.tif 000007
【図６】
2004168541.tif 000008
【図７】
2004168541.tif 000009
【図８】
2004168541.tif 000010
【図９】
2004168541.tif 000011
【図１０】
2004168541.tif 000012
【図１１】
2004168541.tif 000013
【図１２】
2004168541.tif 000014
【図１３】
2004168541.tif 000015
【図１４】
2004168541.tif 000016
【図１５】
2004168541.tif 000017
【図１６】
2004168541.tif 000018
【図１７】
2004168541.tif 000019
【図１８】
2004168541.tif 000020
【図１９】
2004168541.tif 000021
【図２０】
2004168541.tif 000022
【図２１】
2004168541.tif 000023
【図２２】
2004168541.tif 000024
【図２３】
2004168541.tif 000025